(57)【要約】【課題】簡単な構成で安価に製作でき、使い勝手にも優れた美容関連施設向けの撮影補助装置を提供する。【解決手段】撮影補助装置１００は、第１フレーム１１と、第２フレーム１２と、第１フレーム１１に取り付けられた光源１５ａ，１５ｂと、第１フレーム１１と第２フレーム１２とにまたがって張設された柔軟な光拡散性のカバー２２と、第１フレーム１１を第２フレーム１２に対して回動可能に取り付けるための取付部材１３ａ，１３ｂとを備える。第１、第２フレーム１１，１２とカバー２２とにより、前面が開放した撮影空間Ｓが形成され、光源１５ａ，１５ｂが発する光を、カバー２２を通して撮影空間Ｓ内へ照射する。【選択図】図１
2011138014.tif 000002
【特許請求の範囲】
【請求項１】
前側に設けられる第１フレームと、
後側に設けられる第２フレームと、
前記第１フレームまたは前記第２フレームに取り付けられた光源と、
前記第１フレームと前記第２フレームとにまたがって張設された柔軟な光拡散性のカバーと、
前記第１フレームを前記第２フレームに対して回動可能に取り付けるための取付部材とを備え、
前記第１および第２フレームが、前記取付部材を介して前後方向に所定角度を保って互いに固定された状態において、前記第１および第２フレームと前記カバーとにより、前面が開放した撮影空間が形成され、
前記光源が発する光を、前記カバーを通して前記撮影空間内へ照射するようにしたことを特徴とする撮影補助装置。
【請求項２】
請求項１に記載の撮影補助装置において、
当該撮影補助装置を椅子に着脱可能に支持するための支持部材が、前記第１フレームまたは前記第２フレームに設けられていることを特徴とする撮影補助装置。
【請求項３】
請求項１または請求項２に記載の撮影補助装置において、
前記光源が、前記第１フレームまたは前記第２フレームに回動可能に取り付けられたアームに支持されていることを特徴とする撮影補助装置。
【発明の詳細な説明】
【技術分野】
【０００１】
本発明は、人物撮影を好適に行うための撮影環境を整える撮影補助装置に関するものである。
【背景技術】
【０００２】
エステティックサロン（ビューティーサロン）や美容外科等の美容関連施設では、美容に関する種々の処置や施術が行われている。
【０００３】
このような施設では、処置や施術の対象となる人体の部位（以下、「対象部位」という）の撮影が定期的に行われる。例えば、施術前と施術後に対象部位（例えば顔）の撮影を行うほか、施術から一定期間が経過した後も、適当な時期に対象部位の撮影を行う。そして、前回撮影された画像と今回撮影された画像とを比較することで、対象部位における美容効果を検証し、施術を受けた利用者に対して経過説明を行っている。
【０００４】
ところで、人物の上半身の画像を容易かつ安価に撮影する手段の１つとして、例えば、駅や街角等に設置されている自動証明写真撮影装置がある。
【０００５】
また、人物の画像を美しく撮影する手段の１つとしては、例えば、高機能な撮影設備が備わっていて、専門の撮影者（プロカメラマン）による撮影が行われる撮影スタジオがある。
【０００６】
しかしながら、上述した自動証明写真撮影装置には、肌の状態（肌のはり具合等）を精緻に撮影することが出来る機能が備わっていないため、美容関連施設においてこのような設備を導入しても、撮影された画像には、対象部位の状態が鮮明に写らない。よって、前回撮影した画像と、今回撮影した画像を比較しても、対象部位における美容効果を十分に検証することが困難であり、利用者に対して十分な経過説明を行うことが出来ない。
【０００７】
これに対して、上述した撮影スタジオで使用される撮影設備を利用した場合は、対象部位の状態を鮮明に撮影することができる。よって、前回撮影された画像と今回撮影された画像を比較することで、美容効果を十分に検証することが出来、利用者に対して十分な経過説明を行うことが可能である。しかしながら、このような撮影スタジオ用の撮影設備を美容関連施設が導入しようとすれば、経済的負担が増大するとともに、設置場所の制約も受けることになる。
【０００８】
また、人物撮影を行うための撮影装置としては、上に挙げたもののほか、例えば、後掲の特許文献１〜３に記載されているような撮影装置も知られている。
【０００９】
特許文献１には、キャスタにより移動自在な前枠および後枠と、後枠を前枠と接離可能に連結する連結手段とを備えた人物撮影装置が記載されている。前枠には、複数のライトからなる照明手段と、そのコントロール手段とが設けられており、後枠には、背景を形成するスクリーンを巻回したスクリーンロールを架設する軸受手段が設けられている。また、下部に配置したライトの光を、乳白色半透明の散光板を通して人物に照射し、拡散されたやわらかい光線によって顎の下に生じる影を和らげるようにしている。
【００１０】
特許文献２には、壁面に取り付けたり、搬送用コンテナの上に取り付けて使用できる身元証明写真撮影用の装置が記載されている。この装置は、ベース、モータユニット、摺動ブロックに固定された直立部材、水平に延在するフレーム、および少なくとも３台のデジタルビデオカメラを備えている。モータユニットは、ベースに固定されていて、摺動ブロックをガイドに沿って移動させる。水平フレームは、直立部材によって支持されており、シートホルダおよび対応する垂直の背景シートを支持して、撮影空間を作り出す。各デジタルビデオカメラは、撮影空間に向けられていて、被写体の顔面を、前方および両側方から同時に撮影するとともに、同時に撮影した３つの画像をデジタル形式で記録する。
【００１１】
特許文献３には、肌の状態の診断等に使用される顔撮影装置が記載されている。この装置では、筐体の内部に、顔を照明するための光源、顔を撮影するためのカメラ、あご載せ台、額押さえなどが配置されており、また、光源から照射される光を均一に拡散するための拡散板が光源と顔の間に配置されている。カメラは、顔位置を中心として回転可能に設けられており、複数個所で顔画像を撮影する。
【先行技術文献】
【特許文献】
【００１２】
【特許文献１】特開２０００−２０６５９５号公報
【特許文献２】特表２００７−５１９００８号公報
【特許文献３】特開２００９−１０６３４号公報
【発明の概要】
【発明が解決しようとする課題】
【００１３】
特許文献１に開示されている人物撮影装置は、顎の下に生じる影を和らげる効果が期待できるので、ポートレート用の撮影装置には適している。しかし、散光板を通った拡散光は下方から照射されるので、拡散光を利用して顔全体の肌の状態を精緻に撮影することは難しい。したがって、美容関連施設において処置や施術の対象部位を撮影する装置としては適さない。また、特許文献１の撮影装置では、前枠と後枠とをガイドレールとパイプレールにより前後に進退自在に連結する機構が必要となり、構造が複雑化するという欠点がある。
【００１４】
特許文献２に開示されている撮影装置は、身元証明写真撮影用の装置であり、照明に特に工夫がされているわけではないので、やはり肌の状態を精緻に撮影することは難しく、美容関連施設における撮影装置には適さない。また、特許文献２の撮影装置は、モータユニット、摺動ブロック、搬送用コンテナ等を含むため、装置が大掛かりとなってコストも高くなる。
【００１５】
特許文献３に開示されている顔撮影装置は、拡散板を通った均一な拡散光により肌の状態を精緻に撮影することはできるが、顔の画像しか撮影出来ないため、顔以外の部位の撮影も必要とする撮影装置には適さない。また、特許文献３の撮影装置は、筐体内にあらかじめ顔撮影用のカメラやカメラの回転機構が備え付けられたユニットとして構成されるため、コストが高くなることに加えて、コンパクトに折りたたんで収納することができないという問題がある。
【００１６】
本発明は、上述した問題点に鑑み、簡単な構成で安価に製作でき、使い勝手にも優れた美容関連施設向けの撮影補助装置を提供することを目的としている。
【課題を解決するための手段】
【００１７】
本発明に係る撮影補助装置は、前側に設けられる第１フレームと、後側に設けられる第２フレームと、第１フレームまたは第２フレームに取り付けられた光源と、第１フレームと第２フレームとにまたがって張設された柔軟な光拡散性のカバーと、第１フレームを第２フレームに対して回動可能に取り付けるための取付部材とを備える。本装置では、第１および第２フレームが、取付部材を介して前後方向に所定角度を保って互いに固定された状態において、第１および第２フレームとカバーとにより、前面が開放した撮影空間が形成される。そして、光源が発する光は、カバーを通して撮影空間内へ照射される。
【００１８】
このような構成によると、取付部材を介して結合された２つのフレームに、光拡散性のカバーと光源とを付設するだけの簡単な構成により、撮影補助装置を安価に製作することができる。また、光源の光が光拡散性のカバーを通って均一な拡散光となって撮影空間内に照射されるため、撮影補助装置の前方に設置したカメラによって、撮影空間内の人物の肌の状態を精緻に撮影することができる。したがって、この装置は美容関連施設における撮影装置として最適である。また、第１フレームと第２フレームとが取付部材により回動可能に連結されていて、かつ、光拡散性のカバーが柔軟な材質からなるため、不使用時には本装置をコンパクトに折りたたむことができ、保管や収納のためのスペースが少なくて済む。
【００１９】
本発明では、撮影補助装置を椅子に着脱可能に支持するための支持部材が、第１フレームまたは第２フレームに設けられていてもよい。このようにすれば、撮影補助装置を椅子に簡単に取り付けることができるとともに、既製の椅子をそのまま撮影用の椅子として利用することができる。
【００２０】
また、本発明では、光源が、第１フレームまたは第２フレームに回動可能に取り付けられたアームに支持されていてもよい。このようにすれば、光源から撮影空間内に照射される光の角度を、アームの角度を変えることによって容易に調整することができる。これにより、最適の照明状態で撮影を行うことが可能となる。
【発明の効果】
【００２１】
本発明によれば、簡単な構成で安価に製作でき、使い勝手にも優れた美容関連施設向けの撮影補助装置を得ることができる。
【図面の簡単な説明】
【００２２】
【図１】第１実施形態に係る撮影補助装置の斜視図である。
【図２】同撮影補助装置の正面図である。
【図３】支持部材の側面図である。
【図４】同撮影補助装置を椅子に取り付けた状態を示す正面図である。
【図５】同撮影補助装置を用いて撮影を行う様子を示した図である。
【図６】第２実施形態に係る撮影補助装置の斜視図である。
【図７】同撮影補助装置の正面図である。
【図８】第３実施形態に係る撮影補助装置の斜視図である。
【図９】第４実施形態に係る撮影補助装置の左側面図である。
【図１０】同撮影補助装置の右側面図である。
【図１１】支持部材の他の例を示す図である。
【発明を実施するための形態】
【００２３】
以下、本発明の実施形態につき、図面を参照しながら説明する。以下の図では、  同一部分または対応する部分に同一符号を付してある。また、図の右上に示されている矢印のうち、Ｕは上方向、Ｄは下方向、Ｌは左方向、Ｒは右方向、Ｆは前方向、Ｂは後方向をそれぞれ表している。したがって、Ｕ−Ｄは高さ方向、Ｌ−Ｒは幅方向、Ｆ−Ｂは奥行方向であり、これら３方向は互いに直交している。
【００２４】
第１実施形態に係る撮影補助装置を図１および図２に示す。図１は撮影補助装置１００を斜め上から見た図、図２は撮影補助装置１００を正面から見た図である。撮影補助装置１００は、第１フレーム１１、第２フレーム１２、取付部材１３ａ，１３ｂ、光源１５ａ，１５ｂ、アーム１６ａ，１６ｂ、取付部材１７ａ，１７ｂ、支持部材１９ａ，１９ｂ、カバー２２、背面シート２３を備えている。
【００２５】
第１フレーム１１は前側（前方向Ｆ）に設けられるフレームであって、左フレーム１１ａと、右フレーム１１ｂと、上部フレーム１１ｃからなる。この第１フレーム１１は、例えばアルミニウム製の金属パイプを逆Ｕ字状に成型したものである。
【００２６】
第２フレーム１２は後側（後方向Ｂ）に設けられるフレームであって、左フレーム１２ａと、右フレーム１２ｂと、上部フレーム１２ｃからなる。この第２フレーム１２も、第１フレーム１１と同様に、例えばアルミニウム製の金属パイプを逆Ｕ字状に成型したものである。なお、第２フレーム１２の幅と高さは、第１フレーム１１の幅と高さよりも小さくなっている。ここでは、左右のフレーム１２ａ，１２ｂが直線状になっているが、各フレームを適当な位置で折り曲げて、折曲部より上の部分が垂直（Ｕ−Ｄ方向）となるようにしてもよい。
【００２７】
第１フレーム１１の左フレーム１１ａと、第２フレーム１２の左フレーム１２ａとは、取付部材１３ａによって連結される。取付部材１３ａは、例えば、つまみ部１４ａを有するネジ部材からなる。つまみ部１４ａを時計回り方向に回転させると、左フレーム１１ａ，１２ａが締め付けられて固定され、つまみ部１４ａを反時計回り方向に回転させると、締め付けが緩んで左フレーム１１ａ，１２ａの固定が解除される。
【００２８】
同様に、第１フレーム１１の右フレーム１１ｂと、第２フレーム１２の右フレーム１２ｂとは、取付部材１３ｂによって連結される。取付部材１３ｂは、例えば、つまみ部１４ｂを有するネジ部材からなる。つまみ部１４ｂを時計回り方向に回転させると、右フレーム１１ｂ，１２ｂが締め付けられて固定され、つまみ部１４ｂを反時計回り方向に回転させると、締め付けが緩んで右フレーム１１ｂ，１２ｂの固定が解除される。
【００２９】
したがって、左右の取付部材１３ａ，１３ｂによって、第１フレーム１１を第２フレーム１２に対して回動可能に取り付けることができ、第１フレーム１１と第２フレーム１２とを、両者が前後方向（Ｆ−Ｂ方向）に所定角度を保った状態で互いに固定することができる。
【００３０】
第１フレーム１１の左フレーム１１ａの上部には、アーム１６ａが取付部材１７ａによって回動可能に取り付けられている。取付部材１７ａは、取付部材１４ａと同様に、つまみ部１８ａを有するネジ部材からなる。つまみ部１８ａを時計回り方向に回転させると、アーム１６ａが左フレーム１１ａに締付固定され、つまみ部１８ａを反時計回り方向に回転させると、締め付けが緩んでアーム１６ａが回動可能となる。
【００３１】
第１フレーム１１の右フレーム１１ｂの上部には、アーム１６ｂが取付部材１７ｂによって回動可能に取り付けられている。取付部材１７ｂは、取付部材１７ａと同様に、つまみ部１８ｂを有するネジ部材からなる。つまみ部１８ｂを時計回り方向に回転させると、アーム１６ｂが右フレーム１１ｂに締付固定され、つまみ部１８ｂを反時計回り方向に回転させると、締め付けが緩んでアーム１６ｂが回動可能となる。
【００３２】
光源１５ａ，１５ｂは、それぞれアーム１６ａ，１６ｂの上部に、クリップ２４ａ，２４ｂで支持されており、アーム１６ａ，１６ｂを介して第１フレーム１１に取り付けられている。クリップ２４ａ，２４ｂを上下させることにより、光源１５ａ，１５ｂをアーム１６ａ，１６ｂの任意の位置に支持することができる。これらの光源１５ａ，１５ｂには、例えば、蛍光ランプやＬＥＤランプのような市販のランプを用いることができる。
【００３３】
第２フレーム１２の左フレーム１２ａの下部と、右フレーム１２ｂの下部には、それぞれ支持部材１９ａ，１９ｂが設けられている。これらの支持部材１９ａ，１９ｂは、図４のように撮影補助装置１００を椅子３０に支持するための部材であって、金属または樹脂から形成されている。以下、支持部材１９ａ，１９ｂの詳細について説明する。
【００３４】
図３（ａ）は、一方の支持部材１９ａの側面図を示している。支持部材１９ａは、一対の支持板２６ａ，２６ｂと、軸２６ｃと、つまみ２６ｄとを有している。支持板２６ａの内側には、凹部２６ｅ，２６ｆが形成されており、支持板２６ｂの内側には、凹部２６ｇ，２６ｈが形成されている。
【００３５】
凹部２６ｅと凹部２６ｇとは対向していて、撮影補助装置１００の左フレーム１２ａの一部が収容されるように、円弧状の窪みに形成されている。また、凹部２６ｆと凹部２６ｈとは対向していて、椅子３０の左フレーム３０ａの一部が収容されるように、円弧状の窪みに形成されている。
【００３６】
支持板２６ａには、貫通孔２６ｉが形成されており、軸２６ｃの一方の端部が、この貫通孔２６ｉから突出している。軸２６ｃの他方の端部は、支持板２６ｂに埋設されている。貫通孔２６ｉの内径は軸２６ｃの外径より若干大きいので、支持板２６ａは、軸２６ｃの軸方向（Ｘ−Ｙ方向）に移動自在となっている。貫通孔２６ｉから突出している軸２６ｃの端部には、つまみ２６ｄを取り付けるための雄ネジ部２６ｊが形成されている。つまみ２６ｄには、この雄ネジ部２６ｊに対応する雌ネジ部（図示省略）が形成されている。
【００３７】
図３（ａ）において、つまみ２６ｄを図中のＰ方向（時計回り方向）に回転させると、つまみ２６ｄはＹ方向、すなわち支持板２６ａ，２６ｂによるフレーム１２ａ，３０ａの挟持力が強くなる方向に移動する。また、つまみ２６ｄをＱ方向（反時計回り方向）に回転させると、つまみ２６ｄはＸ方向、すなわち支持板２６ａ，２６ｂによるフレーム１２ａ，３０ａの挟持力が弱くなる方向に移動する。
【００３８】
図３（ｂ）は、他方の支持部材１９ｂの側面図を示している。図３（ｂ）は、図３（ａ）を左右対称にしたものであって、図３（ａ）の左フレーム１２ａが図３（ｂ）では右フレーム１２ｂに置き換わっており、図３（ａ）の左フレーム３０ａが図３（ｂ）では右フレーム３０ｂに置き換わっている点を除いて、図３（ａ）と同じである。したがって、支持部材１９ｂについての詳細な説明は省略する。
【００３９】
図１、図２に戻り、次はカバー２２について説明する。カバー２２は、柔軟で光拡散性（光を拡散する性質）をもった材質からなり、例えば、白色のアクリルやナイロンなどの布から構成されている。このカバー２２は、第１フレーム１１と第２フレーム１２とにまたがって張設される。カバー２２の前端は、第１フレーム１１の上部フレーム１１ｃに固定されており、カバー２２の後端は、第２フレーム１２の上部フレーム１２ｃに固定されている。この固定手段としては、例えば、カバー２２に付設された紐を上部フレーム１１ｃ，１２ｃにくくり付ける方法、カバー２２に穿孔された孔を上部フレーム１１ｃ，１２ｃのフック（図示省略）に嵌める方法、カバー２２を上部フレーム１１ｃ，１２ｃに接着剤や熱溶着で固着する方法など、種々の手段を用いることができる。
【００４０】
図１のように、第１フレーム１１と第２フレーム１２とが前後方向に所定角度を保って互いに固定された状態において、第１フレーム１１と、第２フレーム１２と、カバー２２とによって、前面（Ｆ方向側）が開放した撮影空間Ｓが形成される。ここでは、カバー２２が撮影空間Ｓのほぼ上方のみを覆っているが、カバー２２により撮影空間Ｓの両側も覆うようにしてもよい。
【００４１】
背面シート２３は、第２フレーム１２の上部フレーム１２ｃから、左フレーム１２ａおよび右フレーム１２ｂの下端付近にわたって張設されている。この背面シート２３は、例えば、背景が透けないやや厚めの布からなり、カバー２２と同様の固定手段により第２フレーム１２に固定されている。なお、背面シート２３の材質としては、布に限らず、樹脂プレートや紙などを用いることも可能である。
【００４２】
次に、以上の構成からなる撮影補助装置１００の組立方法および使用方法について説明する。
【００４３】
まず最初に、取付部材１３ａのつまみ部１４ａを反時計回り方向に回転させるとともに、取付部材１３ｂのつまみ部１４ｂを反時計回り方向に回転させて、左フレーム１１ａ，１２ａの締付状態を解除するとともに、右フレーム１１ｂ，１２ｂの締付状態を解除する。これにより、第１フレーム１１は第２フレーム１２に対して、取付部材１３ａ，１３ｂを中心として前方向Ｆおよび後方向Ｂへ回動自在となる。
【００４４】
続いて、第１フレーム１１を第２フレーム１２に対して所定角度（例えば６０°）だけ前方向Ｆに傾斜させると、第１フレーム１１、第２フレーム１２、カバー２２により、前述した撮影空間Ｓが形成される。この撮影空間Ｓは、被撮影者の上半身を収容できるスペースを有している。なお、第１フレーム１１の傾斜角度を規制するためのストッパ部（図示省略）を、第２フレーム１２（または第１フレーム１１）に設けてもよい。
【００４５】
第１フレーム１１を傾斜させた後、今度は上記とは逆に、取付部材１３ａのつまみ部１４ａを時計回り方向に回転させて、左フレーム１１ａ，１２ａを締め付けて固定するとともに、取付部材１３ｂのつまみ部１４ｂを時計回り方向に回転させて、右フレーム１１ｂ，１２ｂを締め付けて固定する。
【００４６】
これにより、第１フレーム１１と第２フレーム１２は、取付部材１３ａ，１３ｂを中心として前方向Ｆおよび後方向Ｂへ回動できなくなるため、第１フレーム１１は、第２フレーム１２に対して図１の状態で固定され、撮影補助装置１００の組み立てが終了する。
【００４７】
次に、このようにして組み立てた撮影補助装置１００を、図４のように椅子３０へ取り付ける。椅子３０は、ここではパイプ椅子であって、左フレーム３０ａ、右フレーム３０ｂ、座部３０ｃ、背もたれ部３０ｄを備えている。撮影補助装置１００の椅子３０への取付作業は、以下のような手順に従って行われる。
【００４８】
まず、支持部材１９ａ，１９ｂのつまみ２６ｄを図３のＱ方向に回転させて、つまみ２６ｄをＸ方向に退避させるとともに、支持板２６ａをＸ方向に移動させて、支持板２６ａ，２６ｂ間にスペースを確保する。
【００４９】
続いて、一方の支持部材１９ａの凹部２６ｅ，２６ｇに、撮影補助装置１００の左フレーム１２ａの一部を収容するとともに、凹部２６ｆ，２６ｈに、椅子３０の左フレーム３０ａの一部を収容する（図３（ａ）の状態）。この状態で、つまみ２６ｄを図３のＰ方向に回転させると、つまみ２６ｄはＹ方向に移動し、支持板２６ａに当接する。このため、各フレーム１２ａ，３０ａが支持板２６ａ，２６ｂによって挟持され、つまみ２６ｄの回転に伴ってこの挟持力は強くなる。この結果、撮影補助装置１００の左フレーム１２ａが、支持部材１９ａを介して、椅子３０の左フレーム３０ａに支持される。
【００５０】
また、他方の支持部材１９ｂの凹部２６ｅ，２６ｇに、撮影補助装置１００の右フレーム１２ｂの一部を収容するとともに、凹部２６ｆ，２６ｈに、椅子３０の右フレーム３０ｂの一部を収容する（図３（ｂ）の状態）。この状態で、つまみ２６ｄを図３のＰ方向に回転させると、上記と同様にして、各フレーム１２ｂ，３０ｂが支持板２６ａ，２６ｂにより挟持され、撮影補助装置１００の右フレーム１２ｂが、支持部材１９ｂを介して、椅子３０の右フレーム３０ｂに支持される。
【００５１】
以上の要領により、図４のように、撮影補助装置１００が椅子３０に取り付けられて支持される。その後、光源１５ａ，１５ｂからの光がカバー２２を通して撮影空間Ｓに照射されるように、光源１５ａ，１５ｂの角度を調整する。この調整にあたっては、アーム１６ａ，１６ｂの取付部材１７ａ，１７ｂを緩めて、アーム１６ａ，１６ｂを回動させ、各アームが第１フレーム１１に対して所定の角度になったときに、取付部材１７ａ，１７ｂを締めて、アーム１６ａ，１６ｂを固定する。また、必要に応じてクリップ２４ａ，２４ｂを動かして、光源１５ａ，１５ｂの上下位置を調整する。
【００５２】
図５は、椅子３０に取り付けた撮影補助装置１００を用いて撮影を行う様子を示している。ここでは、撮影補助装置１００や椅子３０を簡略化して描いてある。撮影補助装置１００の前方には、カメラ５１と支持脚５２を備えた撮影器具２００が設置される。被撮影者４０が椅子３０の座部３０ｃに着座すると、被撮影者４０の上半身の一部が撮影空間Ｓに収容される。この状態で光源１５ａ，１５ｂを点灯し、各光源からの光をカバー２２を通して撮影空間Ｓに照射する。カバー２２は光拡散性を有する白色の布からなるので、光源１５ａ，１５ｂからの光は、カバー２２で拡散されて均一な柔らかい光となり、被撮影者４０の上半身を斜め上方から照射する。この状態でカメラ５１により撮影を行うと、被撮影者４０の顔などにおける肌の状態を精緻に撮影することができる。
【００５３】
撮影補助装置１００を使用しないときは、撮影補助装置１００を椅子３０に取り付けたままの状態で、取付部材１３ａ，１３ｂのつまみ部１４ａ，１４ｂ（図１参照）を反時計回り方向に回転させて締め付けを緩め、第１フレーム１１を後方（図１のＢ方向）に倒して第２フレーム１２の位置まで回動させる。すると、前述のように第２フレーム１２の幅と高さは、第１フレーム１１の幅と高さより小さいので、第２フレーム１２が第１フレーム１１の内側に隣接し、両フレーム１１，１２はフラットな状態となる。また、カバー２２も柔軟な布であるため、第１フレーム１１の後方への回動とともに折り畳まれる。そして次に、取付部材１３ａ，１３ｂのつまみ部１４ａ，１４ｂを時計回り方向に回転させて、第１フレーム１１と第２フレーム１２とを締め付けて固定する。最後に、椅子３０の脚部３０ｅ（図５参照）を畳んで、椅子３０と撮影補助装置１００の一体物を収納庫に収納したり、壁などに立て掛けておく。なお、撮影補助装置１００を椅子３０から取り外して、別に保管するようにしてもよい。
【００５４】
このように、第１実施形態においては、取付部材１３ａ，１３ｂを介して結合された２つのフレーム１１，１２に、光拡散性のカバー２２と光源１５ａ，１５ｂとを付設するだけの簡単な構成により、撮影補助装置１００を安価に製作することができる。また、光源１５ａ，１５ｂの光が光拡散性のカバー２２を通って均一な拡散光となって撮影空間Ｓ内に照射されるため、撮影補助装置１００の前方に設置したカメラ５１によって、撮影空間Ｓ内の人物４０の肌の状態を精緻に撮影することができる。したがって、この装置は、美容関連施設における撮影装置として最適である。また、第１フレーム１１と第２フレーム１２とが取付部材１３ａ，１３ｂにより回動可能に連結されていて、かつ、光拡散性のカバー２２が柔軟な材質からなるため、不使用時には撮影補助装置１００をコンパクトに折りたたむことができ、保管や収納のためのスペースが少なくて済む。
【００５５】
また、撮影補助装置１００を椅子３０に着脱可能に支持するための支持部材１９ａ，１９ｂが、第２フレーム１２に設けられているので、撮影補助装置１００を椅子３０に簡単に取り付けることができるとともに、パイプ椅子のような既製の椅子３０をそのまま撮影用の椅子として利用することができる。
【００５６】
さらに、光源１５ａ，１５ｂが、第１フレーム１１に回動可能に取り付けられたアーム１６ａ，１６ｂに支持されているので、光源１５ａ，１５ｂから撮影空間Ｓ内に照射される光の角度を、アーム１６ａ，１６ｂの角度を変えることによって容易に調整することができる。これにより、最適の照明状態で撮影を行うことが可能となる。
【００５７】
図６および図７は、第２実施形態に係る撮影補助装置１００を示している。図６は撮影補助装置１００を斜め上から見た図、図７は撮影補助装置１００を正面から見た図である。前記の第１実施形態では、撮影補助装置１００を椅子３０に取り付けた例を挙げたが、第２実施形態は、撮影補助装置１００に脚部となる４本のフレームを連結したものである。
【００５８】
図６において、撮影補助装置１００の構成は、図１に示した撮影補助装置１００と基本的に同じである。但し、ここでは背面シート２３が下方へ延びて、第２フレーム１２と第１フレーム１２とにまたがって設けられている。第１フレーム１１の左フレーム１１ａの下端部には、後方左脚を構成するフレーム２７ａが連結されており、右フレーム１１ｂの下端部には、後方右脚を構成するフレーム２７ｂが連結されている。また、第２フレーム１２の左フレーム１２ａの下端部には、前方左脚を構成するフレーム２８ａが連結されており、右フレーム１２ｂの下端部には、前方右脚を構成するフレーム２８ｂが連結されている。これらの４本のフレームは、例えばアルミニウム製の金属パイプからなる。なお、ここでは図１と同様に、撮影補助装置１００に支持部材１９ａ，１９ｂが備わっているが、第２実施形態においては、これらの支持部材はなくてもよい。
【００５９】
脚部を構成する４本のフレーム２７ａ，２７ｂ，２８ａ，２８ｂ（以下「連結フレーム」という）と、撮影補助装置１００のフレーム１１ａ，１１ｂ，１２ａ，１２ｂ（以下「本体フレーム」という）とは、例えばネジ結合により固定される。この場合、連結フレームの上端部に雄ネジが形成されているとともに、本体フレームの下端部に雌ネジが形成されており、連結フレームの雄ネジを本体フレームの雌ネジにねじ込むことにより、連結フレームが本体フレームに着脱可能に固定される。なお、本体フレームに連結フレームを固定する手段としては、ネジ結合に限らず、他の手段を用いてもよい。例えば、連結フレームを本体フレームに嵌合させて固定してもよいし、別の固定部材を用いて両者を固定してもよい。
【００６０】
以上のような第２実施形態によれば、撮影補助装置１００を取り付ける適当な椅子がない場合でも、撮影補助装置１００に４本のフレーム２７ａ，２７ｂ，２８ａ，２８ｂを連結することにより、図５と同様の撮影環境で撮影を行うことができる。この場合は、被撮影者４０が着座する椅子が別途用意される。また、被撮影者４０が着座した状態だけでなく、被撮影者４０が立った状態でも撮影が可能なので、顔以外の部位を撮影する場合にも対応することができる。さらに、撮影補助装置１００を使用しないときは、４本のフレーム２７ａ，２７ｂ，２８ａ，２８ｂを連結したままの状態で、第１フレーム１１を折り畳んでコンパクトにすることができる。
【００６１】
図８は、第３実施形態に係る撮影補助装置１００を示している。前記の第２実施形態では、撮影補助装置１００に脚部となる４本のフレームを連結したが、第３実施形態は、撮影補助装置１００に脚部となる２本のフレームを連結したものである。
【００６２】
図８において、撮影補助装置１００の構成は、図１に示した撮影補助装置１００と基本的に同じである。但し、ここでは図１の支持部材１９ａ，１９ｂは備わっていない。また、背面シート２３は下方へ延びて、第２フレーム１２とＬ字形フレーム６１，６２とにまたがって設けられている。Ｌ字形フレーム６１は、左脚を構成するフレームであり、Ｌ字形フレーム６２は、右脚を構成するフレームである。これらのＬ字形フレーム６１，６２は、例えばアルミニウム製の金属パイプからなる。
【００６３】
Ｌ字形フレーム６１は、垂直片６１ａと水平片６１ｂとからなる。垂直片６１ａの上端部を左フレーム１２ａの下端部に嵌合させることにより、Ｌ字形フレーム６１と第２フレーム１２とが固定される。固定手段としては、嵌合以外にネジ結合や固定部材などを用いてもよい。水平片６１ｂは、垂直片６１ａに対して直角に折曲されており、床面上に載置される。
【００６４】
Ｌ字形フレーム６２は、垂直片６２ａと水平片６２ｂとからなる。垂直片６２ａの上端部を右フレーム１２ｂの下端部に嵌合させることにより、Ｌ字形フレーム６２と第２フレーム１２とが固定される。この場合も、固定手段としてはネジ結合や固定部材などを用いてもよい。水平片６２ｂは、垂直片６２ａに対して直角に折曲されており、床面上に載置される。
【００６５】
このようにしてＬ字形フレーム６１，６２が連結された第３実施形態の撮影補助装置１００では、図８からわかるように、第２フレーム１２が垂直な姿勢を保っている。
【００６６】
以上のような第３実施形態によれば、撮影補助装置１００を取り付ける適当な椅子がない場合でも、撮影補助装置１００に２本のＬ字形フレーム６１，６２を連結することにより、図５と同様の撮影環境で撮影を行うことができる。この場合も、被撮影者４０が着座する椅子が別途用意される。また、第２実施形態と同様に、被撮影者４０が着座した状態だけでなく、被撮影者４０が立った状態でも撮影が可能なので、顔以外の部位を撮影する場合にも対応することができる。さらに、第２実施形態に比べて連結するフレームの数が少なくて済む。
【００６７】
図９および図１０は、第４実施形態に係る撮影補助装置１００を示している。図９は撮影補助装置１００を左側から見た図、図１０は撮影補助装置１００を右側から見た図である。第４実施形態は、第３実施形態（図８）を発展させたものである。
【００６８】
第４実施形態の撮影補助装置１００では、カバー２２が幌状に形成されており、撮影空間Ｓの上方と左右両側がカバー２２で覆われている。Ｌ字形フレーム６１，６２の水平片６１ｂ，６２ｂは、軸６３を中心として回動可能となっていて、不使用時にｃ方向に折りたたむことができる。６４ａ，６４ｂは、垂直片６１ａ，６２ａと水平片６１ｂ，６２ｂとを連結するリンク部材である。フレーム１２ａ，１２ｂと垂直片６１ａ，６２ａとの連結部には、高さ調節用のハンドル６５ａ，６５ｂが設けられている。このハンドル６５ａ，６５ｂを回して、フレーム１２ａ，１２ｂと垂直片６１ａ，６２ａとの締め付けを緩め、フレーム１２ａ，１２ｂを垂直片６１ａ，６２ａに対してａ，ｂ方向に相対的に伸縮させることにより、撮影補助装置１００の高さを調節することができる。これによって、様々な背丈の被撮影者に対応することができる。また、垂直片６１ａ，６２ａの下部には、キャスター６６ａ，６６ｂが設けられており、撮影補助装置１００を容易に移動させることができる。その他の構成については、第３実施形態（図８）と同様である。
【００６９】
本発明では、上述した実施形態のほかにも、種々の実施形態を採用することができる。
【００７０】
例えば、前記各実施形態においては、光源１５ａ，１５ｂをアーム１６ａ，１６ｂを介して第１フレーム１１に取り付けた例を挙げたが、光源１５ａ，１５ｂをアーム１６ａ，１６ｂを介して第２フレーム１２に取り付けてもよい。また、必要に応じて、撮影時にアーム１６ａ，１６ｂの角度を調整することにより、光源１５ａ，１５ｂの一方または両方が発する光を、撮影空間Ｓの正面から照射することもできる。さらに、光源は２つに限らず、１つまたは３つ以上設けてもよい。
【００７１】
また、前記各実施形態においては、取付部材１３ａ，１３ｂとして、つまみ部１４ａ，１４ｂを有するネジ部材を例に挙げたが、取付部材としてボルトとナットなどを用いることも可能である。また、第１および第２実施形態では、支持部材１９ａ，１９ｂを第２フレーム１２に取り付けた例を挙げたが、支持部材１９ａ，１９ｂは第１フレーム１１に取り付けてもよい。
【００７２】
また、支持部材１９ａ，１９ｂの構造は、図３に示したものに限らず、例えば図１１（ａ）のように、椅子のフレーム３０ａを収容する凹部２６ｆ，２６ｈを複数設けてもよい。これによると、サイズ（幅）の異なる椅子に、共通の支持部材を用いて撮影補助装置１００を取り付けることができる。また、凹部２６ｆ，２６ｈの形状は円弧状に限らず、例えば図１１（ｂ）のように、椅子のフレーム３０ａの形状にあわせて方形としてもよい。さらに、凹部２６ｆ，２６ｈ内に図のようなゴム等の弾性部材２５を埋設し、フレーム３０ａを弾性的に挟持するようにしてもよい。なお、図１１では一方の支持部材１９ａのみ図示されているが、他方の支持部材１９ｂについても同様である。
【００７３】
また、前記各実施形態においては、第１フレーム１１と第２フレーム１２をアルミニウム製の金属パイプから構成したが、アルミニウム以外の金属（例えば鉄）から構成してもよい。また、その形状も円柱状、角柱状など任意に選定することができる。第２実施形態のフレーム２７ａ，２７ｂ，２８ａ，２８ｂや、第３および第４実施形態のＬ字形フレーム６１，６２についても同様である。
【００７４】
また、第１実施形態においては、撮影補助装置１００を取り付ける椅子３０としてパイプ椅子を例に挙げたが、椅子３０はパイプ椅子以外の椅子であってもよい。さらには、撮影補助装置１００を椅子以外の専用の基台に取り付けてもよい。また、第１実施形態においては、第１フレーム１１を傾斜させた後に、撮影補助装置１００を椅子３０に取り付けたが、撮影補助装置１００を椅子３０に取り付けた後に、第１フレーム１１を傾斜させてもよい。
【００７５】
また、第１実施形態においては、第１および第２フレーム１１，１２の幅（図１のＬ−Ｒ方向の幅）は固定であったが、第１フレーム１１と第２フレーム１２をそれぞれ左右に分割し、それぞれの左右のフレームを幅方向にスライド可能に連結することにより、フレーム１１，１２の幅を調整できるようにしてもよい。これにより、種々のサイズの椅子に撮影補助装置１００を取り付けることができる。
【００７６】
また、第２実施形態においては、撮影補助装置１００に４本のフレーム２７ａ，２７ｂ，２８ａ，２８ｂを連結して脚部を構成したが、第１フレーム１１と第２フレーム１２を下方に延長することにより、脚部を一体に形成してもよい。
【００７７】
同様に、第３および第４実施形態においては、撮影補助装置１００にＬ字形フレーム６１，６２を連結して脚部を構成したが、第２フレーム１２の左右フレーム１２ａ，１２ｂを下方に延長して折り曲げることにより、脚部を一体に形成してもよい。
【００７８】
さらに、前記各実施形態においては、光源１５ａ，１５ｂが発する光を、カバー２２の上方からカバーを通して撮影空間Ｓ内へ照射したが、第４実施形態のように撮影空間Ｓの側方もカバー２２で覆われている場合は（図９、図１０）、光源１５ａ，１５ｂの光をカバー２２の側方からカバーを通して撮影空間Ｓ内へ照射してもよい。
【符号の説明】
【００７９】
１１  第１フレーム
１２  第２フレーム
１３ａ，１３ｂ  取付部材
１５ａ，１５ｂ  光源
１６ａ，１６ｂ  アーム
１９ａ，１９ｂ  支持部材
２２  カバー
３０  椅子
１００  撮影補助装置
Ｓ  撮影空間
【図１】
2011138014.tif 000003
【図２】
2011138014.tif 000004
【図３】
2011138014.tif 000005
【図４】
2011138014.tif 000006
【図５】
2011138014.tif 000007
【図６】
2011138014.tif 000008
【図７】
2011138014.tif 000009
【図８】
2011138014.tif 000010
【図９】
2011138014.tif 000011
【図１０】
2011138014.tif 000012
【図１１】
2011138014.tif 000013